(57)【特許請求の範囲】
【請求項１】
駆動源と、
前記駆動源の動力により所定の往復方向に往復運動されるラックと、
前記ラックと歯合される従動ギアと、
前記従動ギアと連動連結される可動役物と、
前記ラックの前記往復方向における位置に応じて、前記従動ギアを回動不能な状態、または回動可能な状態に切り替えるロック手段と、
を具備し、
前記ラックの位置が前記往復方向における第１の範囲内にある場合、前記ロック手段が前記従動ギアを回動不能な状態に切り替えて、前記ラックの往復運動に伴って前記従動ギアを介して前記可動役物が往復運動し、
前記ラックの位置が前記往復方向における前記第１の範囲と異なる第２の範囲内にある場合、前記ロック手段が前記従動ギアを回動可能な状態に切り替えて、前記ラックの往復運動に伴って前記従動ギアを介して前記可動役物が回動運動するように構成される、
遊技機の可動役物装置。
【請求項２】
前記ロック手段は、
前記従動ギアと近接する側の位置と離間する側の位置との間で移動可能であり、前記従動ギアと近接する側に位置している場合、前記従動ギアと係止して前記従動ギアを回動不能な状態とするとともに、前記従動ギアと離間する側に位置している場合、前記従動ギアとの係止を解除して前記従動ギアを回動可能な状態とする回動規制部材と、
前記ラックの前記往復方向における位置に応じて、前記回動規制部材を前記従動ギアと近接する側の位置に保持した状態、または前記近接する側の位置から離間する側の位置に移動可能な状態に切り替える移動規制部材と、
を具備し、
前記ラックの位置が前記往復方向における前記第１の範囲内にある場合、前記移動規制部材が前記回動規制部材を前記従動ギアと近接する側の位置に保持することによって、前記回動規制部材を前記従動ギアと係止させて、前記従動ギアを回動不能な状態とし、
前記ラックの位置が前記往復方向における前記第２の範囲内にある場合、前記移動規制部材が前記回動規制部材の前記保持を解除し前記回動規制部材を前記従動ギアと離間する側の位置に移動可能な状態にすることによって、前記回動規制部材と前記従動ギアとの係止を解除させて、前記従動ギアを回動可能な状態とするように構成される、
請求項１に記載の遊技機の可動役物装置。
【請求項３】
前記従動ギアには、
前記従動ギアの回動軸線を中心とする円弧状に形成される第一開口部と、
前記第一開口部の一端に連続して形成されるとともに、前記回動軸線を中心とする半径方向において前記第一開口部から前記回動軸線側に延出する第二開口部と、
が形成され、
前記回動規制部材は、
前記第一開口部又は前記第二開口部に嵌入されるピンを具備し、
前記ラックの位置が前記往復方向における前記第１の範囲内にある場合、前記移動規制部材が前記回動規制部材を前記従動ギアと近接する側の位置に保持することによって、前記ピンを前記第二開口部に係止させて、前記従動ギアを回動不能な状態とし、
前記ラックの位置が前記往復方向における前記第２の範囲内にある場合、前記移動規制部材が前記回動規制部材の前記保持を解除して前記回動規制部材を前記従動ギアと離間する側の位置に移動可能な状態にすることによって、前記ピンと前記第二開口部との係止を解除させて、前記従動ギアを回動可能な状態とするように構成される、
請求項２に記載の遊技機の可動役物装置。
【発明の詳細な説明】
【技術分野】
【０００１】
本発明は、パチンコ機、スロットマシン等の遊技機に用いられる可動役物装置の技術に関する。
【背景技術】
【０００２】
パチンコ機、スロットマシン等の遊技機においては、所定の場合に演出用の可動役物を駆動させる種々の技術が公知となっている。例えば、特許文献１に記載の如くである。
【０００３】
特許文献１に記載の遊技機の可動役物装置においては、モータの駆動力により回転駆動するスクリューシャフトに対して、当該スクリューシャフトの溝に係合してスクリューシャフトの軸線方向に移動可能な台座（移動体）が設けられ、台座には回動可能にキャラクタ本体が設けられている。台座の移動範囲の中途部には規制部材（規制壁）が設けられ、規制部材近傍を台座が通過する際にキャラクタ本体が規制部材に当接し、台座の移動に伴ってキャラクタ本体が初期回動位置から回動する。また、キャラクタ本体には初期回動位置に復帰するための復帰バネが設けられ、キャラクタ本体が規制部材から離間すると当該復帰バネの付勢力によりキャラクタ本体の回動位置が初期回動位置に戻る。
この技術によれば、スクリューシャフトの回転によりキャラクタ本体は直線運動することができ、また、キャラクタ本体が一定量以上直線運動した後は、当該直線運動に加えて回動運動することができる。このように、特許文献１に記載の遊技機の可動役物装置においては、１つのモータを用いて、キャラクタ本体を直線運動及び回動運動させることができる。
【先行技術文献】
【特許文献】
【０００４】
【特許文献１】特開２０１０−１２１６３号公報
【発明の概要】
【発明が解決しようとする課題】
【０００５】
しかしながら、特許文献１に記載の技術では、キャラクタ本体は直線運動と併せて回動運動できるのであって、直線運動を行うことなく回動運動のみを行うことはできなかった。
【０００６】
本発明は、上記のような問題点に鑑みてなされたものであり、その解決しようとする課題は、駆動源から発生される単一の駆動力により可動役物の往復運動（直線運動を含む）と回動運動とをそれぞれ独立して行うことができる遊技機の可動役物装置を提供するものである。
【課題を解決するための手段】
【０００７】
本発明の解決しようとする課題は以上の如くであり、次にこの課題を解決するための手段を説明する。
【０００８】
即ち、請求項１においては、駆動源と、前記駆動源の動力により所定の往復方向に往復運動されるラックと、前記ラックと歯合される従動ギアと、前記従動ギアと連動連結される可動役物と、前記ラックの前記往復方向における位置に応じて、前記従動ギアを回動不能な状態、または回動可能な状態に切り替えるロック手段と、を具備し、前記ラックの位置が前記往復方向における第１の範囲内にある場合、前記ロック手段が前記従動ギアを回動不能な状態に切り替えて、前記ラックの往復運動に伴って前記従動ギアを介して前記可動役物が往復運動し、前記ラックの位置が前記往復方向における前記第１の範囲と異なる第２の範囲内にある場合、前記ロック手段が前記従動ギアを回動可能な状態に切り替えて、前記ラックの往復運動に伴って前記従動ギアを介して前記可動役物が回動運動するように構成されるものである。
【０００９】
請求項２においては、前記ロック手段は、前記従動ギアと近接する側の位置と離間する側の位置との間で移動可能であり、前記従動ギアと近接する側に位置している場合、前記従動ギアと係止して前記従動ギアを回動不能な状態とするとともに、前記従動ギアと離間する側に位置している場合、前記従動ギアとの係止を解除して前記従動ギアを回動可能な状態とする回動規制部材と、前記ラックの前記往復方向における位置に応じて、前記回動規制部材を前記従動ギアと近接する側の位置に保持した状態、または前記近接する側の位置から離間する側の位置に移動可能な状態に切り替える移動規制部材と、を具備し、前記ラックの位置が前記往復方向における前記第１の範囲内にある場合、前記移動規制部材が前記回動規制部材を前記従動ギアと近接する側の位置に保持することによって、前記回動規制部材を前記従動ギアと係止させて、前記従動ギアを回動不能な状態とし、前記ラックの位置が前記往復方向における前記第２の範囲内にある場合、前記移動規制部材が前記回動規制部材の前記保持を解除し前記回動規制部材を前記従動ギアと離間する側の位置に移動可能な状態にすることによって、前記回動規制部材と前記従動ギアとの係止を解除させて、前記従動ギアを回動可能な状態とするように構成されるものである。
【００１０】
請求項３においては、前記従動ギアには、前記従動ギアの回動軸線を中心とする円弧状に形成される第一開口部と、前記第一開口部の一端に連続して形成されるとともに、前記回動軸線を中心とする半径方向において前記第一開口部から前記回動軸線側に延出する第二開口部と、が形成され、前記回動規制部材は、前記第一開口部又は前記第二開口部に嵌入されるピンを具備し、前記ラックの位置が前記往復方向における前記第１の範囲内にある場合、前記移動規制部材が前記回動規制部材を前記従動ギアと近接する側の位置に保持することによって、前記ピンを前記第二開口部に係止させて、前記従動ギアを回動不能な状態とし、前記ラックの位置が前記往復方向における前記第２の範囲内にある場合、前記移動規制部材が前記回動規制部材の前記保持を解除して前記回動規制部材を前記従動ギアと離間する側の位置に移動可能な状態にすることによって、前記ピンと前記第二開口部との係止を解除させて、前記従動ギアを回動可能な状態とするように構成されるものである。
【発明の効果】
【００１１】
本発明は、駆動源から発生される単一の駆動力であるラックの往復運動によって、可動役物の往復運動と回動運動とをそれぞれ独立して行うことができる、という効果を奏する。また本発明は、簡易な構成であるため、駆動源に加わる負担の低減を図ることができる、という効果を奏する。
【図面の簡単な説明】
【００１２】
【図１】本発明の一実施形態に係る可動役物装置を備える遊技機の全体的な構成を示す正面図。
【図２】遊技盤および可動役物装置を示す正面図。
【図３】本発明の第一実施形態に係る可動役物装置を示す上方斜視図。
【図４】同じく、可動役物装置を示す分解上方斜視図。
【図５】同じく、可動役物装置を示す分解上方斜視図の下部拡大図。
【図６】同じく、可動役物装置を示す分解下方斜視図の下部拡大図。
【図７】同じく、可動役物装置を示す分解上方斜視図の上部拡大図。
【図８】同じく、可動役物装置を示す分解下方斜視図の上部拡大図。
【図９】（ａ）下部ケースを示す平面図。（ｂ）同じく、底面図。（ｃ）上部ケースを示す平面図。（ｄ）同じく、底面図。
【図１０】（ａ）台座を示す下方斜視図。（ｂ）同じく、底面図。（ｃ）同じく、上方斜視図。（ｄ）同じく、平面図。
【図１１】（ａ）回動規制部材が従動ギア支持部と離間する側に位置している場合を示す底面図。（ｂ）同じく、平面図。（ｃ）回動規制部材が従動ギア支持部と近接する側に位置している場合を示す底面図。（ｄ）同じく、平面図。
【図１２】（ａ）従動ギアを示す上方斜視図。（ｂ）同じく、下方斜視図。（ｃ）同じく、平面図。（ｄ）同じく、底面図。
【図１３】可動役物の取り付け態様を示す上方斜視図。
【図１４】同じく、可動役物の取り付け態様を示す下方斜視図。
【図１５】（ａ）後退位置における可動役物装置を示す上方斜視図。（ｂ）同じく、底面図。
【図１６】（ａ）後退位置におけるケースと役物基部との位置関係を示す平面模式図。（ｂ）後退位置における可動役物装置を示す正面図。
【図１７】（ａ）後退位置における可動役物装置を示す底面図。（ｂ）後退位置と原点位置との間における可動役物装置を示す底面図。
【図１８】（ａ）原点位置における可動役物装置を示す上方斜視図。（ｂ）同じく、底面図。
【図１９】（ａ）原点位置におけるケースと役物基部との位置関係を示す平面模式図。（ｂ）原点位置における可動役物装置を示す正面図。
【図２０】ピンと第二開口部との係止が解除された際の回動規制部材を示す底面図。（ｂ）同じく、ピンと第二開口部との係止が解除された際の可動役物装置を示す底面図。
【図２１】（ａ）回動位置における可動役物装置を示す上方斜視図。（ｂ）同じく、底面図。
【図２２】（ａ）回動位置におけるケースと役物基部との位置関係を示す平面模式図。（ｂ）回動位置における可動役物装置を示す正面図。
【図２３】（ａ）第二実施形態に係る上部ケースを示す底面図。（ｂ）同じく、第二実施形態に係る従動ギアを示す底面図。
【図２４】（ａ）ピンと第三開口部とが係止している状態を示す底面模式図。（ｂ）回動規制部材が回動可能となった状態を示す底面模式図。（ｃ）ピンと第三開口部との係止が解除された状態を示す底面模式図。（ｄ）従動ギアが回動し、ピンと第二開口部とが係止している状態を示す底面模式図。
【図２５】（ａ）回動規制部材が回動可能となった状態を示す底面模式図。（ｂ）ピンと第二開口部との係止が解除された状態を示す底面模式図。（ｃ）従動ギアが回動した状態を示す底面模式図。
【図２６】（ａ）第三実施形態に係る可動役物装置の、従動ギアが回動不能な状態を示す底面図。（ｂ）同じく、従動ギアが回動可能な状態を示す底面図。
【発明を実施するための形態】
【００１３】
まず、本発明の第一実施形態に係る可動役物装置１００を備える遊技機１の全体構成について、図１を用いて説明する。
なお、以下の説明において、遊技機１を遊技者から見て、手前側を遊技機１の前側とし、奥側を遊技機１の後側として、遊技機１の前後方向を規定する。また、遊技機１を遊技者から見て、左手側を遊技機１の左側とし、右手側を遊技機１の右側として、遊技機１の左右方向を規定する。
【００１４】
遊技機１には、機体の外郭を成す外枠１０が設けられる。外枠１０は、前後面が開口される略四角筒状の枠体である。外枠１０は、パチンコホール等の遊技場に設けられる台島に設置される。外枠１０の前側の開口部には、略四角形状の枠体である中枠２０が、ヒンジ等の軸支部材を介して回動可能に支持される。中枠２０には、遊技領域５８が形成される遊技盤５０が着脱自在に取り付けられる（図２参照）。また、中枠２０には、略平板状の枠体である窓枠３０と、下皿ユニット４０とが、ヒンジ等の軸支部材を介してそれぞれ回動可能に支持される。
【００１５】
窓枠３０の略中央には、正面視で略円形状の窓枠開口部３１が開口される。窓枠開口部３１には、透明板３４が被覆されて、中枠２０に支持された遊技盤５０の遊技領域５８を前方から視認することができる。また、窓枠３０の窓枠開口部３１の下方には、発射前の遊技球が貯溜される上皿３２が配設される。また、窓枠３０の窓枠開口部３１の左右上方には、スピーカ３３がそれぞれ配設される。
【００１６】
下皿ユニット４０は、窓枠３０の下方に配置される。下皿ユニット４０の略中央には、上皿３２から溢れた遊技球が貯溜される下皿４１が配設される。また、下皿ユニット４０の右側部には、図示せぬ遊技球発射装置に連結され、上皿３２に貯溜された遊技球を遊技領域５８へ向けて発射可能に構成される発射ハンドル４２が配設される。
【００１７】
次に、遊技盤５０の構成について、図２を用いてさらに詳細に説明する。
【００１８】
遊技盤５０は、基体５１と、図柄表示手段５２と、ガイドレール５３と、一般入賞口５４と、大入賞装置５５と、可変入賞装置５６と、アウト口５７と、可動役物装置１００とを備える。
【００１９】
基体５１は、遊技盤５０の主たる構造体を成す部材である。基体５１は、略平板状の部材であり、遊技盤５０の各構成部材が取り付けられる。基体５１の略中央には、図柄表示手段５２を取り付けるための図柄表示開口部６１が正面視で略矩形状に開口される。
【００２０】
図柄表示手段５２は、図柄や数字を変動表示する液晶画面６２を備える装置である。図柄表示手段５２は、液晶画面６２を前方へ向けた状態で、基体５１の後面側に取り付けられる。液晶画面６２は、図柄表示開口部６１を通じて前方を臨むように配置され、基体５１の前方から視認可能となっている。また、液晶画面６２は、基体５１の前面よりも若干後方に配置されて基体５１の前面との間に可動役物装置１００が配設される隙間が形成される。
【００２１】
ガイドレール５３は、外ガイドレール６３ａと、内ガイドレール６３ｂとを備える。
外ガイドレール６３ａおよび内ガイドレール６３ｂは、正面視で略円弧状に形成される金属製の帯状の部材である。外ガイドレール６３ａは、基体５１の左側および上側の外周を周回するように配置される。内ガイドレール６３ｂは、外ガイドレール６３ａよりも基体５１の内側であって、基体５１の左側および下側の外周を周回するように配置される。外ガイドレール６３ａおよび内ガイドレール６３ｂは、短手方向を前後方向として基体５１の前面側から前方へ突出される。
なお、基体５１の略中央の外ガイドレール６３ａと内ガイドレール６３ｂとにより略円形状に区画形成された領域が、遊技球が転動する領域である遊技領域５８とされる。また、基体５１の左側部の外ガイドレール６３ａと内ガイドレール６３ｂとの間に略円弧形状に区画形成された領域が、前記遊技球発射装置により発射された遊技球が通過する領域である発射通路５９とされる。そして、発射ハンドル４２の回動操作に応じて、遊技球が発射通路５９を通過して遊技領域５８へ放出されることとなる。
【００２２】
一般入賞口５４は、上面が開口するポケット状に形成され、遊技球を入賞可能とする部材である。一般入賞口５４に遊技球が入賞すると、図示せぬ賞球払出装置によって所定数の賞球（遊技球）が払い出される。一般入賞口５４は、基体５１における遊技領域５８の下部に複数個が配置される。
【００２３】
大入賞装置５５は、大当たり抽選により大当たりが選択されると、大入賞口６５を開放して遊技球を入賞可能とする装置である。大入賞口６５に遊技球が入賞すると、前記賞球払出装置によって所定数の賞球（遊技球）が払い出される。大入賞装置５５は、基体５１における遊技領域５８の中央下部に配置される。
【００２４】
可変入賞装置５６は、所定の作動条件を満たすと、左右一対の可動片の動作に応じて、遊技球が入賞可能な開放状態または入賞不能な閉鎖状態に切り替える装置である。可変入賞装置５６に遊技球が入賞すると、前記賞球払出装置によって所定数の賞球（遊技球）が払い出されると共に、図示せぬ抽選装置によって大当たり抽選が開始される。可変入賞装置５６は、基体５１の遊技領域５８の略中央であって、大入賞装置５５の上方に配置される。
【００２５】
アウト口５７は、発射通路５９を通過して遊技領域５８へ放出された遊技球が、一般入賞口５４や大入賞口６５等の各入賞口に入賞しなかった場合に、最終的に流入する開口部である。アウト口５７に流入した遊技球は、パチンコホール等の遊技場側に回収される。アウト口５７は、基体５１における遊技領域５８の最下部に配置される。
【００２６】
次に、可動役物装置１００について、図２から図１４を用いて説明する。
【００２７】
図３および図４に示す可動役物装置１００は、所定の場合に遊技者に視覚的な印象（インパクト）を与えるためのものである。可動役物装置１００は、正面視（図２）において液晶画面６２の前方に配置される。具体的には、可動役物装置１００は、ケース１１０と、モータ１２０と、駆動ギア１３０と、ラック１４０と、台座１５０と、回動規制部材１６０と、従動ギア１７０と、可動役物１８０と、台座センサ１９０とにより構成される。
【００２８】
ケース１１０は、可動役物装置１００の一部（具体的には、駆動ギア１３０、ラック１４０、従動ギア１７０、台座１５０および回動規制部材１６０等）を収納する筐体である。ケース１１０は、下部ケース１１１と、上部ケース１１２とにより構成される。
【００２９】
図４から図６、図９（ａ）、および図９（ｂ）に示す下部ケース１１１は、上面が開放した略箱状の部材である。
下部ケース１１１の底面には、後端縁部から内側（前方）に向かって切り欠き部１１１ａが形成される。
下部ケース１１１の底面の上側（筐体を成すケース１１０の内壁面）には、長手方向を左右方向としてラックガイドリブ１１１ｂが形成される。
【００３０】
図４、図７、図８、図９（ｃ）、および図９（ｄ）に示す上部ケース１１２は、底面が開放した略箱状の部材である。
上部ケース１１２の上面の下側（筐体を成すケース１１０の内壁面）には、長手方向を左右方向として一対のリブが形成され、当該一対のリブの間にラックガイド溝１１２ａが形成される。
上部ケース１１２の上面の下側には、長手方向を左右方向として移動規制部材としての台座ガイドリブ１１２ｂが形成される。台座ガイドリブ１１２ｂは、本発明に係るロック手段を構成するものである。台座ガイドリブ１１２ｂは、ラックガイド溝１１２ａから所定距離だけ前方に、ラックガイド溝１１２ａと平行に形成される。台座ガイドリブ１１２ｂは、上部ケース１１２の右端部から、左方に向かって所定の位置（上部ケース１１２の左端部から所定距離離れた位置）まで形成される。
上部ケース１１２の上面の下側には、台座摺動規制リブ１１２ｃが形成される。台座摺動規制リブ１１２ｃは、台座ガイドリブ１１２ｂの左端部から左方へ所定距離だけ離れた位置に、台座ガイドリブ１１２ｂの長手方向と垂直な方向（前後方向）に延設される面を有するように形成される。
上部ケース１１２の上面には、当該上面を貫通する台座ガイド溝１１２ｄが形成される。台座ガイド溝１１２ｄは、台座ガイドリブ１１２ｂから所定距離だけ前方に、長手方向を左右方向として（すなわち、台座ガイドリブ１１２ｂと平行に）形成される。
上部ケース１１２の上面には、当該上面を貫通する長孔１１２ｅが形成される。長孔１１２ｅは、ラックガイド溝１１２ａと台座ガイドリブ１１２ｂとの間に、長手方向を左右方向として（すなわち、ラックガイド溝１１２ａと平行に）形成される。長孔１１２ｅは、上部ケース１１２の左右略中央部から、左方に向かって所定の位置まで形成される。
【００３１】
上部ケース１１２の上面の上側（筐体を成すケース１１０の外壁面）には、役物ガイド溝１１２ｆが形成される。役物ガイド溝１１２ｆは、直線部１１２ｇと、円弧部１１２ｈとから構成される。
直線部１１２ｇは、上部ケース１１２の左右略中央部から、上部ケース１１２の右端部近傍まで形成される。直線部１１２ｇは、前後方向においてラックガイド溝１１２ａと対向する位置に形成され、直線部１１２ｇ及びラックガイド溝１１２ａによって上部ケース１１２の上面が上下方向に貫通される。
円弧部１１２ｈは、直線部１１２ｇの左端部に連続して形成され、所定の位置（概ね長孔１１２ｅの左端部）を中心とする円弧状に形成される。
【００３２】
このような下部ケース１１１及び上部ケース１１２において、下部ケース１１１の開放側（上方）と上部ケース１１２の開放側（下方）とを当接させて締結部材等により固設することにより、筐体（ケース１１０）が構成される（図３および図４参照）。
【００３３】
図４から図６に示す駆動源としてのモータ１２０は、ケース１１０（より詳細には、下部ケース１１１の下面）に固設される。モータ１２０の出力軸１２１は、下部ケース１１１の切り欠き部１１１ａを介して上方に延出される。
【００３４】
駆動ギア１３０は、ケース１１０の内部においてモータ１２０の出力軸１２１の上端に固設される。
【００３５】
図４、図７、および図８に示すラック１４０は、長手方向を左右方向として配置される。ラック１４０の前後縁部には、それぞれ歯が形成される。ラック１４０の上面には、長手方向を左右方向として、垂直上方に向けて突出される板状のガイド部１４０ａが形成される。
ラック１４０は、ガイド部１４０ａを上部ケース１１２のラックガイド溝１１２ａに係合されることにより、ラックガイド溝１１２ａの長手方向（左右方向、往復方向）にのみ移動可能となるように案内される。ラック１４０は、下部ケース１１１のラックガイドリブ１１１ｂによって下方から当接されることで、ガイド部１４０ａが上部ケース１１２のラックガイド溝１１２ａから抜け落ちないように構成される。
ラック１４０の後縁部に形成された歯は、駆動ギア１３０と歯合される。
【００３６】
図４、図７、図８、および図１０に示す台座１５０は、回動規制部材１６０および従動ギア１７０を支持する部材である。
台座１５０の下面の左後部には、当該台座１５０を上下方向に貫通する貫通孔１５０ａを有する円筒状の従動ギア支持部１５０ｂが形成される。
台座１５０の下面には、長手方向を左右方向としてリブ１５０ｃが形成される。台座１５０の上面には、下面のリブ１５０ｃに対応する位置に長手方向を左右方向として台座ガイド溝１５０ｄが形成される。また、リブ１５０ｃの左端部近傍には切り欠き部１５０ｅが形成され、当該切り欠き部１５０ｅを介して台座１５０の上面（詳細には、台座ガイド溝１５０ｄ）と下面とが連通される。リブ１５０ｃの右端部近傍には、略円柱形状の回動規制部材支持部１５０ｆが形成される。
台座１５０の上面の右前部には、略円柱形状の２つのガイドピン１５０ｇ・１５０ｇが左右方向に並んで形成される。台座１５０の下面の右端部には、板状の検出片１５０ｈが下方に向けて延設される。
台座１５０は、台座ガイド溝１５０ｄが上部ケース１１２の台座ガイドリブ１１２ｂに、ガイドピン１５０ｇ・１５０ｇが軸受１５１・１５１を介して上部ケース１１２の台座ガイド溝１１２ｄに、それぞれ係合されることにより、台座ガイドリブ１１２ｂの長手方向（左右方向）にのみ移動可能となるように案内される。
【００３７】
図４、図７、図８、および図１１に示す回動規制部材１６０は、本発明に係るロック手段を構成する部材であり、略矩形板状の部材である。回動規制部材１６０の長手方向一端部には、台座１５０の回動規制部材支持部１５０ｆの直径と略同一の径を有する孔１６０ａが形成される。回動規制部材１６０の長手方向他端部の下面には、下方に向けてピン１６０ｂが突設される。また、回動規制部材１６０の長手方向他端部の上面には、上方に向けて板状の当接部１６０ｃが突設される。
回動規制部材１６０は、その長手方向を略左右方向として、より詳細には長手方向一端側（孔１６０ａが形成される側）を略右方に、他端側（ピン１６０ｂ及び当接部１６０ｃが形成される側）を略左方に、それぞれ向けて配置される。回動規制部材１６０は、台座１５０の回動規制部材支持部１５０ｆが孔１６０ａに嵌合されることにより、台座１５０に回動可能に支持される。
【００３８】
回動規制部材１６０が回動規制部材支持部１５０ｆを中心として回動することにより、回動規制部材１６０の他端側が台座１５０の従動ギア支持部１５０ｂと離間する側に位置している場合、当該回動規制部材１６０の当接部１６０ｃは、台座１５０の切り欠き部１５０ｅを介して台座ガイド溝１５０ｄ内に突出する（図１１（ａ）（ｂ）参照）。一方、回動規制部材１６０の他端側が台座１５０の従動ギア支持部１５０ｂと近接する側に位置している場合、当該回動規制部材１６０の当接部１６０ｃは、台座ガイド溝１５０ｄ内に突出しない（図１１（ｃ）（ｄ）参照）。
【００３９】
図４、図７、図８、および図１２に示す従動ギア１７０は、略円柱形状の軸部１７０ａと、軸部１７０ａの外周の一部に形成される歯１７０ｂと、軸部１７０ａを中心として歯１７０ｂと略対称となる位置に形成される係止部１７０ｃとにより構成される。
【００４０】
軸部１７０ａには、当該軸部１７０ａの上端から下方に向かって、台座１５０の従動ギア支持部１５０ｂの直径と略同一の径を有する穴１７０ｄが形成される。
【００４１】
係止部１７０ｃは、軸部１７０ａの軸心方向に垂直な板状に形成される。係止部１７０ｃには、第一開口部１７０ｅおよび第二開口部１７０ｆが形成される。
【００４２】
第一開口部１７０ｅは、係止部１７０ｃを上下方向に貫通する貫通孔であり、軸部１７０ａの軸心を中心とする円弧状に形成される。
第二開口部１７０ｆは、第一開口部１７０ｅの一端に連続して形成される貫通孔である。第二開口部１７０ｆは、軸部１７０ａの軸心を中心とする半径方向において、第一開口部１７０ｅから軸部１７０ａ側に近接するように延出される。すなわち、軸部１７０ａの軸心を中心とする半径方向において、第二開口部１７０ｆは第一開口部１７０ｅよりも内側に位置することになる。
【００４３】
従動ギア１７０は、軸受１７１を介して軸部１７０ａの穴１７０ｄに台座１５０の従動ギア支持部１５０ｂが嵌合されることにより、台座１５０に回動可能に支持される。この際、従動ギア１７０の第一開口部１７０ｅ又は第二開口部１７０ｆには、回動規制部材１６０のピン１６０ｂが嵌入され、従動ギア１７０の歯１７０ｂは、ラック１４０の前縁部に形成された歯と歯合される。
【００４４】
図４、図１３、および図１４に示す可動役物１８０は、往復運動又は回動運動されることにより、遊技者に視覚的な印象（インパクト）を与えるためのものである。可動役物１８０は、役物基部１８１と、役物本体１８２と、役物支軸１８３とにより構成される。
【００４５】
役物基部１８１は箱状の部材である。役物基部１８１の底面の右後部には、下方に向かってガイドピン１８１ａが突設される。
【００４６】
役物本体１８２は、戦車の形状を模した役物である。役物本体１８２は、役物基部１８１の上部に固設される。
【００４７】
役物支軸１８３は略円柱状の部材である。役物支軸１８３の上端部は、役物基部１８１の底面の左部に固設され、役物支軸１８３の下端部は、下方に向かって延設される。
【００４８】
可動役物１８０は、上部ケース１１２の上方に配置される。役物支軸１８３は、軸受１８４を介して長孔１１２ｅおよび台座１５０の貫通孔１５０ａに挿通され、当該役物支軸１８３の下端部は従動ギア１７０に相対回転不能となるように固定される。このようにして従動ギア１７０と可動役物１８０とが連動連結される。
また、可動役物１８０は、ガイドピン１８１ａを上部ケース１１２の役物ガイド溝１１２ｆに係合されることにより、役物ガイド溝１１２ｆに沿って移動可能となるように案内される。
【００４９】
図４から図６に示す台座センサ１９０は、台座１５０が所定の位置にあることを検出するためのものである。台座センサ１９０は、検出部１９０ａを上方に向けた状態で、下部ケース１１１の前端側かつ左右略中央に配置される。台座センサ１９０は、検出部１９０ａにおいて台座１５０の検出片１５０ｈを検出することにより、台座１５０が所定の位置にあることを検出することができる。
【００５０】
次に、上述の如く構成された可動役物装置１００における駆動力の伝達について、図４を用いて説明する。
【００５１】
モータ１２０が駆動されると、当該モータ１２０の駆動力は、モータ１２０に固設される駆動ギア１３０を介してラック１４０に伝達される。モータ１２０からの駆動力により、ラック１４０は左右方向に摺動（往復運動）する。ラック１４０が左右方向に摺動すると、当該ラック１４０と歯合された従動ギア１７０は、ラック１４０と共に左右方向に往復運動、または役物支軸１８３を中心として回動運動する。
【００５２】
以下では、可動役物装置１００の動作態様、および遊技者から見た可動役物１８０の様子について、図１５から図２２を用いて詳細に説明する。
なお、説明の便宜上、図１５、図１８、図２０（ｂ）、および図２１ではケース１１０の図示を省略している。
【００５３】
図１５に示すように、駆動ギア１３０がラック１４０の左端部近傍の歯と歯合している場合の可動役物１８０の位置を「後退位置」と定義する。この場合、図１６（ａ）に示すように、役物支軸１８３は長孔１１２ｅの右端部に、ガイドピン１８１ａは役物ガイド溝１１２ｆの直線部１１２ｇの右端部に、それぞれ嵌合している。また、この場合、図１６（ｂ）に示すように、可動役物１８０は左方を向いて、ケース１１０の右端上部に位置している。
【００５４】
可動役物１８０が後退位置にある状態でモータ１２０が駆動され、駆動ギア１３０が一方向（底面視（図１５（ｂ））における反時計回り）に回転すると、当該駆動ギア１３０と歯合するラック１４０は左方に向かって摺動する。
【００５５】
ここで、可動役物１８０が初期位置（後退位置）にある場合、回動規制部材１６０の当接部１６０ｃが上部ケース１１２の台座ガイドリブ１１２ｂと当接することにより、当該回動規制部材１６０の他端側が台座１５０の従動ギア支持部１５０ｂ（従動ギア１７０）と近接する側の位置に保持される（図１７（ａ）参照）。したがって、回動規制部材１６０のピン１６０ｂが従動ギア１７０の第二開口部１７０ｆに係止され（図１５（ｂ）参照）、従動ギア１７０は回転することができない。
【００５６】
従動ギア１７０は回転することができないため、ラック１４０が左方に向かって摺動すると、当該ラック１４０と歯合する従動ギア１７０、従動ギア１７０を支持する台座１５０、および従動ギア１７０と連結される可動役物１８０は、ラック１４０とともに一体的に左方に向かって摺動する。またこの場合、可動役物１８０のガイドピン１８１ａは役物ガイド溝１１２ｆの直線部１１２ｇに沿って左方へと案内される。
【００５７】
ラック１４０、従動ギア１７０、台座１５０、および可動役物１８０が左方に向かって摺動している最中においても、回動規制部材１６０の当接部１６０ｃが上部ケース１１２の台座ガイドリブ１１２ｂと当接することにより、当該回動規制部材１６０の他端側が台座１５０の従動ギア支持部１５０ｂと近接する側の位置に保持される（図１７（ｂ）参照）。したがって、可動役物１８０が後退位置にある場合と同様、回動規制部材１６０のピン１６０ｂが従動ギア１７０の第二開口部１７０ｆに係止され、従動ギア１７０は回転することができない。
【００５８】
可動役物１８０が後退位置にある状態（図１５参照）からラック１４０を左方へと摺動させ、台座１５０の検出片１５０ｈが台座センサ１９０の検出部１９０ａに到達した場合の可動役物１８０の位置を「原点位置」と定義する（図１８参照）。この場合、図１９（ａ）に示すように、役物支軸１８３は長孔１１２ｅの左端部に、ガイドピン１８１ａは役物ガイド溝１１２ｆの直線部１１２ｇの左端部（円弧部１１２ｈとの接続部近傍）に、それぞれ嵌合している。また、この場合、図１９（ｂ）に示すように、可動役物１８０は左方を向いて、ケース１１０の左端上部に位置している。
また、可動役物１８０が原点位置にある場合、台座１５０の左端部は上部ケース１１２の台座摺動規制リブ１１２ｃに当接している（図２０（ａ）参照）。
【００５９】
ここで、可動役物１８０が後退位置にある場合のラック１４０の左右方向（往復方向）位置（図１５（ｂ）参照）から、可動役物１８０が原点位置にある場合のラック１４０の左右方向位置（図１８（ｂ）参照）までの範囲を、「第１の範囲」と定義する。
【００６０】
上述の如く、台座センサ１９０は、可動役物１８０が左方へと摺動し、原点位置に到達したことを検出することができる。当該検出に基づいてモータ１２０の駆動を停止させることにより、可動役物１８０を原点位置で停止させることができる。
【００６１】
可動役物１８０が原点位置にある状態でさらにモータ１２０が駆動され、駆動ギア１３０が一方向（底面視（図１８（ｂ））における反時計回り）に回転すると、当該駆動ギア１３０と歯合するラック１４０は左方に向かって摺動する。
【００６２】
ここで、可動役物１８０が原点位置にある場合、回動規制部材１６０の当接部１６０ｃは、上部ケース１１２の台座ガイドリブ１１２ｂの左端部よりも左方に位置している（図２０（ａ）参照）。すなわち、当接部１６０ｃは台座ガイドリブ１１２ｂと当接することがなく、回動規制部材１６０の他端側が台座１５０の従動ギア支持部１５０ｂと離間する方向に回動可能となる。
【００６３】
この状態でラック１４０が左方に摺動されると、当該ラック１４０と歯合する従動ギア１７０には、当該従動ギア１７０を底面視（図２０（ｂ）参照）における時計回りに回動させようとする力が加わる。従動ギア１７０が底面視時計回りに回動すると、ピン１６０ｂは第二開口部１７０ｆの内壁面に案内されながら第一開口部１７０ｅへと移動する。
【００６４】
ピン１６０ｂが第一開口部１７０ｅへと移動した場合、当該ピン１６０ｂと第二開口部１７０ｆとの係止は解除される。このため、ラック１４０が左方に向かって摺動すると、当該ラック１４０と歯合する従動ギア１７０、および従動ギア１７０と連結される可動役物１８０は、左方に向かって摺動することなく、役物支軸１８３を中心として底面視時計回りに回動する。またこの場合、可動役物１８０のガイドピン１８１ａは役物ガイド溝１１２ｆの円弧部１１２ｈに沿って案内される。
【００６５】
可動役物１８０が原点位置にある状態（図１８参照）からラック１４０を左方へと摺動させ、回動規制部材１６０のピン１６０ｂが従動ギア１７０の第一開口部１７０ｅの端部に到達した場合の可動役物１８０の位置を「回動位置」と定義する（図２１参照）。この場合、図２２（ａ）に示すように、役物支軸１８３は長孔１１２ｅの左端部に、ガイドピン１８１ａは役物ガイド溝１１２ｆの円弧部１１２ｈの左端部に、それぞれ嵌合している。また、この場合、図２２（ｂ）に示すように、可動役物１８０は略前方（遊技者側）を向いて、ケース１１０の左端上部に位置している。
【００６６】
ここで、可動役物１８０が原点位置にある場合のラック１４０の左右方向（往復方向）位置（図１８（ｂ）参照）から、可動役物１８０が回動位置にある場合のラック１４０の左右方向位置（図２１（ｂ）参照）までの範囲を、「第２の範囲」と定義する。
【００６７】
上述の如く、ラック１４０が第１の範囲内にある場合、台座ガイドリブ１１２ｂによって、回動規制部材１６０の他端側が従動ギア１７０と近接する側の位置に保持される。この場合、回動規制部材１６０のピン１６０ｂが従動ギア１７０の第二開口部１７０ｆに係止されるため、当該従動ギア１７０は回動不能な状態とされる。
また、ラック１４０が第２の範囲内にある場合、台座ガイドリブ１１２ｂが回動規制部材１６０の上記保持を解除して、回動規制部材１６０の他端側が従動ギア１７０と離間する方向に移動可能な状態にされる。この場合、回動規制部材１６０のピン１６０ｂと従動ギア１７０の第二開口部１７０ｆとの係止が解除されるため、当該従動ギア１７０は回転可能な状態とされる。
【００６８】
したがって、ラック１４０を右端から左方に向かって摺動させることで、当該ラック１４０が第１の範囲内にある場合は可動役物１８０を左方に向かって直線運動させることができ、また、当該ラック１４０が第２の範囲内にある場合は可動役物１８０を直線運動させることなく回動運動させることができる。すなわち、可動役物１８０の位置を後退位置（図１６参照）、原点位置（図１９参照）、回動位置（図２２参照）の順に変更していくことができる。これによって、戦車（可動役物１８０）が右から左に向かって前進した後、その場で旋回して前方を向く動作を模すことができ、遊技者に視覚的な印象を与えることができる。
【００６９】
また、可動役物１８０が原点位置にある場合、台座摺動規制リブ１１２ｃによって台座１５０の左方への摺動が確実に規制されるため、可動役物１８０が回動運動する際に直線運動を伴うことがない。すなわち、可動役物１８０の直線運動と回動運動とを確実に独立して行うことができ、可動役物１８０の運動の変化にメリハリをつけることができる。
【００７０】
また、可動役物１８０が直線運動または回動運動する際に、ガイドピン１８１ａが上部ケース１１２の役物ガイド溝１１２ｆに案内されるため、当該可動役物１８０が運動する際のガタつきを防止することができる。
【００７１】
一方、モータ１２０が上記とは逆回転に駆動され、駆動ギア１３０が他方向（底面視（図２１（ｂ））における時計回り）に回転すると、当該駆動ギア１３０と歯合するラック１４０は右方に向かって摺動する。この場合、上述の動作とは逆に、可動役物１８０の位置を回動位置（図２２参照）、原点位置（図１９参照）、後退位置（図１６参照）の順に変更していくことができる。これによって、戦車（可動役物１８０）がその場で旋回して左方を向いた後、左から右に向かって後退する動作を模すことができ、遊技者に視覚的な印象を与えることができる。
【００７２】
上述の如く、モータ１２０をいずれかの方向に駆動させることで、可動役物１８０を左右方向に直線運動（往復運動）、または回動運動させることができる。すなわち、複数の駆動源を要することなく、単一のモータ１２０のみで可動役物１８０の往復運動と回動運動とをそれぞれ独立して行うことができる。
【００７３】
また、台座センサ１９０により、可動役物１８０が後退位置から原点位置に到達したことを検出することができる。したがって、台座センサ１９０の検出に基づいてモータ１２０の駆動を制御することにより、可動役物１８０を後退位置から原点位置まで直線運動させた後、回動運動させることなくその場で停止させたり、再び後退位置まで戻したりすることも可能である。
【００７４】
また、駆動ギア１３０と従動ギア１７０とでラック１４０を前後から挟むように配置することによって、前後双方からラック１４０に力が加わるため、当該ラック１４０が前後いずれかに傾斜することがなく、姿勢を安定させることができる。
【００７５】
また、上部ケース１１２のラックガイド溝１１２ａと役物ガイド溝１１２ｆの直線部１１２ｇとを対向する位置に形成することで、上部ケース１１２におけるスペースを有効に利用することができ、部品のコンパクト化を図ることができる。
【００７６】
以上の如く、本実施形態に係る可動役物装置１００は、モータ１２０（駆動源）と、モータ１２０の動力により所定の往復方向に往復運動されるラック１４０と、ラック１４０と歯合される従動ギア１７０と、従動ギア１７０と連動連結される可動役物１８０と、ラック１４０の前記往復方向における位置に応じて、従動ギア１７０を回動不能な状態、または回動可能な状態に切り替えるロック手段と、を具備し、ラック１４０の位置が前記往復方向における第１の範囲内にある場合、前記ロック手段が従動ギア１７０を回動不能な状態に切り替えて、ラック１４０の往復運動に伴って従動ギア１７０を介して可動役物１８０が往復運動し、ラック１４０の位置が前記往復方向における前記第１の範囲と異なる第２の範囲内にある場合、前記ロック手段が従動ギア１７０を回動可能な状態に切り替えて、ラック１４０の往復運動に伴って従動ギア１７０を介して可動役物１８０が回動運動するように構成されるものである。
【００７７】
また、前記ロック手段は、従動ギア１７０と近接する側の位置と離間する側の位置との間で移動可能であり、従動ギア１７０と近接する側に位置している場合、従動ギア１７０と係止して従動ギア１７０を回動不能な状態とするとともに、従動ギア１７０と離間する側に位置している場合、従動ギア１７０との係止を解除して従動ギア１７０を回動可能な状態とする回動規制部材１６０と、ラック１４０の前記往復方向における位置に応じて、回動規制部材１６０を従動ギア１７０と近接する側の位置に保持した状態、または前記近接する側の位置から離間する側の位置に移動可能な状態に切り替える台座ガイドリブ１１２ｂ（移動規制部材）と、を具備し、ラック１４０の位置が前記往復方向における前記第１の範囲内にある場合、台座ガイドリブ１１２ｂが回動規制部材１６０を従動ギア１７０と近接する側の位置に保持することによって、回動規制部材１６０を従動ギア１７０と係止させて、従動ギア１７０を回動不能な状態とし、ラック１４０の位置が前記往復方向における前記第２の範囲内にある場合、台座ガイドリブ１１２ｂが回動規制部材１６０の前記保持を解除し回動規制部材１６０を従動ギア１７０と離間する側の位置に移動可能な状態にすることによって、回動規制部材１６０と従動ギア１７０との係止を解除させて、従動ギア１７０を回動可能な状態とするように構成されるものである。
【００７８】
また、従動ギア１７０には、従動ギア１７０の回動軸線を中心とする円弧状に形成される第一開口部１７０ｅと、第一開口部１７０ｅの一端に連続して形成されるとともに、前記回動軸線を中心とする半径方向において第一開口部１７０ｅから前記回動軸線側に延出する第二開口部１７０ｆと、が形成され、回動規制部材１６０は、第一開口部１７０ｅ又は第二開口部１７０ｆに嵌入されるピン１６０ｂを具備し、ラック１４０の位置が前記往復方向における前記第１の範囲内にある場合、台座ガイドリブ１１２ｂが回動規制部材１６０を従動ギア１７０と近接する側の位置に保持することによって、ピン１６０ｂを第二開口部１７０ｆに係止させて、従動ギア１７０を回動不能な状態とし、ラック１４０の位置が前記往復方向における前記第２の範囲内にある場合、台座ガイドリブ１１２ｂが回動規制部材１６０の前記保持を解除して回動規制部材１６０を従動ギア１７０と離間する側の位置に移動可能な状態にすることによって、ピン１６０ｂと第二開口部１７０ｆとの係止を解除させて、従動ギア１７０を回動可能な状態とするように構成されるものである。
【００７９】
このように構成することにより、モータ１２０から発生される単一の駆動力であるラック１４０の往復運動によって、可動役物１８０の往復運動と回動運動とをそれぞれ独立して行うことができる。また、それぞれの運動のために別個に駆動源を設ける場合に比べてコストの低減を図ることができる。
【００８０】
さらに、簡易な構成であるため、モータ１２０に加わる負担の低減を図ることができる。
具体的には、往復運動のための駆動源と回動運動のための駆動源とをそれぞれ別個に設ける構成を想定すると、往復運動のための駆動源は、可動役物１８０とともに回動運動のための駆動源をも往復運動させる必要があるため、重量の増加に伴って当該往復運動のための駆動源に加わる負担が増加する。
また、予め可動役物１８０の回動方向とは逆方向にバネ等で付勢力を加えておき、往復運動の途中で可動役物１８０の一部を規制部材に当接させることで、前記付勢力に抗して可動役物１８０を回動させる構成を想定する。この場合、往復運動のための駆動源には、往復運動のための負担のみならず前記付勢力に抗するための負担まで加わるため、当該駆動源に加わる負担が増加する。
一方、本実施形態においては、モータ１２０は他の駆動源までも運動させる必要はなく、また、モータ１２０に加わる負担は可動役物１８０を往復運動または回動運動させるためのもののみであるため、上記の場合に比べてモータ１２０に加わる負担の軽減を図ることができる。
【００８１】
なお、駆動源としては、モータ１２０以外にもラック１４０を往復運動させるための駆動力を発生することができるもの（例えば油圧シリンダ、空気圧シリンダ等）を用いることが可能である。また、本実施形態の如く単一の駆動源（モータ１２０）でラック１４０を往復運動させる構成に限らず、例えば、駆動源であるモータ１２０を複数用いてラック１４０を往復運動させる構成であってもよい。
また、可動役物１８０（役物本体１８２）は、戦車の形状を模したものでなく、その他の機械、人、動物等を模した形状とすることが可能である。
また、回動規制部材１６０は、従動ギア１７０と係止して当該従動ギア１７０を回動不能な状態とすることができるものであれば、その形状を限定するものではない。
また、移動規制部材としては、台座ガイドリブ１１２ｂ以外にも、回動規制部材１６０を従動ギア１７０と近接する側の位置に保持した状態、または前記近接する側の位置から離間する方向に移動可能な状態に切り替えることができるものを用いることが可能であり、その形状、配置等を限定するものではない。
【００８２】
以下では、本発明の第二実施形態に係る可動役物装置２００について、図２３から図２５を用いて説明する。
第二実施形態に係る可動役物装置２００が第一実施形態に係る可動役物装置１００と異なる点は、上部ケース１１２の台座ガイドリブ１１２ｂに代えて台座ガイドリブ２１２ｂを有する点、および従動ギア１７０に代えて従動ギア２７０を有する点である。
よって以下では、第一実施形態に係る可動役物装置１００と同一構成の部材には同一の符号を付し、説明を省略する。
【００８３】
図２３（ａ）に示す上部ケース１１２の上面の下側には、長手方向を左右方向として台座ガイドリブ２１２ｂが形成される。台座ガイドリブ２１２ｂは、第一直線部２１２ｃと、第二直線部２１２ｄとにより構成される。
第一直線部２１２ｃは、上部ケース１１２の右端部から左方に向かって所定の位置まで形成される。
第二直線部２１２ｄは、第一直線部２１２ｃの左端部に連続して形成され、第一直線部２１２ｃの左端部から左方に向かって所定の位置まで形成される。また、第二直線部２１２ｄは、第一直線部２１２ｃよりもやや前方に配置される。
【００８４】
図２３（ｂ）に示す従動ギア２７０が、第一実施形態に係る従動ギア１７０と異なる点は、第一開口部１７０ｅおよび第二開口部１７０ｆに代えて、第一開口部２７０ｅ、第二開口部２７０ｆ、および第三開口部２７０ｇを有する点である。
第一開口部２７０ｅは、係止部１７０ｃを上下方向に貫通する貫通孔であり、軸部１７０ａの軸心を中心とする円弧状に形成される。
第二開口部２７０ｆは、第一開口部２７０ｅの一端に連続して形成される貫通孔である。第二開口部２７０ｆは、軸部１７０ａの軸心を中心とする半径方向において、第一開口部２７０ｅよりも軸部１７０ａ側に近接する位置に円弧状に形成される。すなわち、軸部１７０ａの軸心を中心とする半径方向において、第二開口部２７０ｆは第一開口部２７０ｅよりも内側に位置することになる。
第三開口部２７０ｇは、第二開口部２７０ｆの一端に連続して形成される貫通孔である。第三開口部２７０ｇは、軸部１７０ａの軸心を中心とする半径方向において、第二開口部２７０ｆから軸部１７０ａ側に近接するように延出される。すなわち、軸部１７０ａの軸心を中心とする半径方向において、第三開口部２７０ｇは第二開口部２７０ｆよりも内側に位置することになる。
【００８５】
このように構成された可動役物装置２００において、ラック１４０を右端から左方に向かって摺動させる場合の動作態様について説明する。
【００８６】
ラック１４０が右端に位置している場合、回動規制部材１６０の他端側の回動は台座ガイドリブ２１２ｂの第一直線部２１２ｃによって規制されるため、回動規制部材１６０のピン１６０ｂは従動ギア２７０の第三開口部２７０ｇに係止される。このため、従動ギア２７０は回動することができない。したがって、ラック１４０が左方に摺動されると、従動ギア２７０は当該ラック１４０とともに左方に摺動する（図２４（ａ）および（ｂ）参照）。
【００８７】
回動規制部材１６０の当接部１６０ｃが台座ガイドリブ２１２ｂの第一直線部２１２ｃの左端部よりも左方まで到達すると、当該第一直線部２１２ｃによる回動規制部材１６０の回動の規制が解除される。このため、回動規制部材１６０の他端側は、当接部１６０ｃが第二直線部２１２ｄに当接するまで回動可能となる（図２４（ｂ）および（ｃ）参照）。これによって、ピン１６０ｂと第三開口部２７０ｇとの係止が解除される。
【００８８】
この状態でラック１４０が左方に摺動されると、従動ギア２７０は左方に摺動することなく、ピン１６０ｂが第二開口部２７０ｆの端部（第一開口部２７０ｅ側の端部）に到達するまで回動する（図２４（ｄ）参照）。
【００８９】
ピン１６０ｂが第二開口部２７０ｆの端部に到達すると、当該ピン１６０ｂが第二開口部２７０ｆに係止されるため、再び従動ギア２７０は回動することができなくなる。したがって、ラック１４０が左方に摺動されると、従動ギア２７０は当該ラック１４０とともに左方に摺動する（図２４（ｄ）および図２５（ａ）参照）。
【００９０】
回動規制部材１６０の当接部１６０ｃが台座ガイドリブ２１２ｂの第二直線部２１２ｄの左端部よりも左方まで到達すると、当該第二直線部２１２ｄによる回動規制部材１６０の回動の規制が解除される。このため、回動規制部材１６０の他端側は回動可能となる（図２５（ａ）および（ｂ）参照）。これによって、ピン１６０ｂと第二開口部２７０ｆとの係止が解除される。
【００９１】
この状態でラック１４０が左方に摺動されると、従動ギア２７０は左方に摺動することなく、ピン１６０ｂが第一開口部２７０ｅの端部に到達するまで回動する（図２５（ｃ）参照）。
【００９２】
上述の如く、第二実施形態に係る可動役物装置２００においては、ラック１４０を右端から左端まで摺動させる間に、従動ギア２７０を２回に分けて回動運動させることができる。すなわち、可動役物１８０を往復運動の途中で回動させることが可能となり、遊技者に視覚的な印象を与えることができる。
【００９３】
なお、本実施形態においては、可動役物１８０を２回に分けて回動運動させるものとしたが、３回以上に分けて回動運動させる構成にすることも可能である。
【００９４】
以下では、本発明の第三実施形態に係る可動役物装置３００について、図２６を用いて説明する。
第三実施形態に係る可動役物装置３００が第一実施形態に係る可動役物装置１００と異なる点は、回動規制部材１６０のピン１６０ｂに代えて係止片３６０ｂを有する点、および従動ギア１７０に代えて従動ギア３７０を有する点である。
よって以下では、第一実施形態に係る可動役物装置１００と同一構成の部材には同一の符号を付し、説明を省略する。
【００９５】
回動規制部材１６０の長手方向他端部の下面には、下方に向けて係止片３６０ｂが突設される。係止片３６０ｂの後端部は歯車と歯合できるよう先鋭形状とされる。
【００９６】
従動ギア３７０が、第一実施形態に係る従動ギア１７０と異なる点は、係止部１７０ｃおよび歯１７０ｂに代えて、歯３７０ｂが従動ギア３７０の後部から前部に亘って形成されている点である。
【００９７】
このように構成された可動役物装置３００において、ラック１４０が第１の範囲内にある場合、台座ガイドリブ１１２ｂによって、回動規制部材１６０の他端側が従動ギア３７０と近接する側の位置に保持される。この場合、回動規制部材１６０の係止片３６０ｂが従動ギア３７０の歯３７０ｂに係止されるため、当該従動ギア１７０は回動不能な状態とされる。
また、ラック１４０が第２の範囲内にある場合、台座ガイドリブ１１２ｂが回動規制部材１６０の上記保持を解除して、回動規制部材１６０の他端側が従動ギア３７０と離間する方向に移動可能な状態にされる。この場合、回動規制部材１６０の係止片３６０ｂと従動ギア３７０の歯３７０ｂとの係止が解除されるため、当該従動ギア３７０は回転可能な状態とされる。
【００９８】
したがって、第一実施形態に係る可動役物装置１００と同様、ラック１４０を右端から左方に向かって摺動させることで、可動役物１８０の位置を後退位置（図１６参照）、原点位置（図１９参照）、回動位置（図２２参照）の順に変更していくことができる。これによって、戦車（可動役物１８０）が右から左に向かって前進した後、その場で旋回して前方を向く動作を模すことができ、遊技者に視覚的な印象を与えることができる。
【符号の説明】
【００９９】
１：遊技機，１００：可動役物装置，１１０：ケース，１１１：下部ケース，１１２：上部ケース，１１２ｂ：台座ガイドリブ（移動規制部材），１２０：モータ（駆動源），１４０：ラック，１６０：回動規制部材，１６０ｂ：ピン，１７０：従動ギア，１７０ｅ：第一開口部，１７０ｆ：第二開口部，１８０：可動役物
【図１】
0005402872.tif 000002
【図２】
0005402872.tif 000003
【図３】
0005402872.tif 000004
【図４】
0005402872.tif 000005
【図５】
0005402872.tif 000006
【図６】
0005402872.tif 000007
【図７】
0005402872.tif 000008
【図８】
0005402872.tif 000009
【図９】
0005402872.tif 000010
【図１０】
0005402872.tif 000011
【図１１】
0005402872.tif 000012
【図１２】
0005402872.tif 000013
【図１３】
0005402872.tif 000014
【図１４】
0005402872.tif 000015
【図１５】
0005402872.tif 000016
【図１６】
0005402872.tif 000017
【図１７】
0005402872.tif 000018
【図１８】
0005402872.tif 000019
【図１９】
0005402872.tif 000020
【図２０】
0005402872.tif 000021
【図２１】
0005402872.tif 000022
【図２２】
0005402872.tif 000023
【図２３】
0005402872.tif 000024
【図２４】
0005402872.tif 000025
【図２５】
0005402872.tif 000026
【図２６】
0005402872.tif 000027